(57)【要約】【課題】  ユーザの好みや操作熟練度に合わせて表示部の表示画面を自動的に切り替える際の操作性を向上させた画像形成装置を提供する。【解決手段】  ユーザによる操作でユーザＩＤが操作部に受け付けられると（Ｓ１１）、制御部が、当該ユーザＩＤに対応する画面表示用データをデータテーブルに従って判断し（Ｓ１２）、当該画面表示用データをＨＤＤから読み出して表示部に表示させる（Ｓ１３，Ｓ１７）。これにより、複合機の操作時に、ユーザが自分用にレイアウトされた表示画面を指定して切り替える作業を行わなくても、自動的にユーザに合わせた表示画面が表示される。【選択図】      図６
2005172948.tif 000002
【特許請求の範囲】
【請求項１】
表示項目数が異なる複数の操作画面の表示をするための各画面表示用データが記憶された画面表示用データ記憶手段と、
前記画面表示用データ記憶手段から読み出された画面表示用データに基づいた操作画面が表示される表示手段と、
前記各画面表示用データに対して複数のユーザＩＤを関連付けるデータテーブルを記憶するテーブル記憶手段と、
外部操作により少なくともユーザＩＤを含む各種操作指示の入力を受け付ける操作手段と、
前記操作手段によって受け付けられたユーザＩＤに対応する画面表示用データを前記データテーブルから判断し、当該画面表示用データを前記画面表示用データ記憶手段から読み出して前記表示手段に表示させる制御手段と
を備えたことを特徴とする画像形成装置。
【請求項２】
前記操作手段は、前記表示手段の表示内容をスクロール表示させるスクロール指示の入力を受け付け、
前記制御手段は、前記操作手段によって受け付けられたスクロール指示に従って、前記画面表示用データの前記表示手段での表示内容を変更することを特徴とする請求項１に記載の画像形成装置。
【請求項３】
前記操作手段は、前記表示手段の表示画面を切り替える表示画面切替指示の入力を受け付け、
前記制御手段は、前記操作手段によって表示画面切替指示が受け付けられると、前記表示手段に表示させている画面表示用データとは別個の画面表示用データを前記画面表示用データ記憶手段から読み出して、前記表示手段に表示させることを特徴とする請求項１又は請求項２に記載の画像形成装置。
【請求項４】
前記画面表示用データ記憶手段に記憶されている各画面表示用データは、複数の操作キーを前記表示手段に表示するためのデータを有し、
前記表示手段には、前記操作キーに対応するタッチパネル機能が設けられており、
前記制御手段は、前記表示手段に表示された前記各操作キーから、ユーザによる任意の操作キーの選択が前記タッチパネル機能で受け付けられると、当該選択された操作キーに対応付けられた機能を実行し、前記表示手段に表示された各操作キーの使用回数に応じて、前記表示手段に表示される各操作キーの表示形態を変化させることを特徴とする請求項１乃至請求項３のいずれかに記載の画像形成装置。
【発明の詳細な説明】
【技術分野】
【０００１】
本発明は、表示パネル等の表示部に操作案内を表示する画像形成装置に関し、特に、表示部における表示画面の表示制御に関するものである。
【背景技術】
【０００２】
従来、複写機、ファクシミリ、プリンタ等の画像形成装置では、表示パネル等の表示部に操作案内を表示するものがあるが、画像形成装置の多機能化によって、表示パネルに表示される項目数が増大し、表示パネルの画面表示が複雑になってきている。そこで、表示パネルの画面表示の複雑化に伴う問題を解決するために、特許文献１に示される画像形成装置が提案されている。この画像形成装置は、各ユーザが、表示項目の少ない省略表示と、表示項目の多い展開表示の２つの表示画面とから、好みの画面を自分で選択して表示させることで、ユーザに対する操作性の向上と、装置の多機能化への対応とを両立させている。
【特許文献１】特開平１１−１９４６６９号公報
【発明の開示】
【発明が解決しようとする課題】
【０００３】
しかしながら、上記の画像形成装置は、２つの表示画面をユーザが自分で選択して切り替えるので、例えば、コピー機能、ファクシミリ機能及びプリンタ機能を兼ね備えた複合機のように、多くのユーザが共有して使用する装置では、装置を使用するユーザが変わる度に、ユーザが自分用の表示画面を指定して切り替えなくてはならないので、操作が煩わしいという問題がある。
【０００４】
本発明は、上記の問題を解決するためになされたもので、表示部の表示画面をユーザに応じて切り替える際の操作性を向上させた画像形成装置を提供することを目的とする。
【課題を解決するための手段】
【０００５】
本発明の請求項１に記載の発明は、表示項目数が異なる複数の操作画面の表示をするための各画面表示用データが記憶された画面表示用データ記憶手段と、
前記画面表示用データ記憶手段から読み出された画面表示用データに基づいた操作画面が表示される表示手段と、
前記各画面表示用データに対して複数のユーザＩＤを関連付けるデータテーブルを記憶するテーブル記憶手段と、
外部操作により少なくともユーザＩＤを含む各種操作指示の入力を受け付ける操作手段と、
前記操作手段によって受け付けられたユーザＩＤに対応する画面表示用データを前記データテーブルから判断し、当該画面表示用データを前記画面表示用データ記憶手段から読み出して前記表示手段に表示させる制御手段と
を備えたものである。
【０００６】
この構成では、外部操作によりユーザＩＤが操作手段に受け付けられると、制御手段が、当該ユーザＩＤに対応する画面表示用データをデータテーブルから判断し、当該画面表示用データを画面表示用データ記憶手段から読み出して表示手段に表示させるので、装置の操作時にユーザが自分用の表示画面を指定して切り替える作業を行う必要がない。また、各画面表示用データに対して複数のユーザＩＤが関連付けてデータテーブルとして記憶させ、それによって、複数のユーザに対して１つの画面表示用データを共用するので、画面表示用データ記憶手段にユーザＩＤの数と同数の画面表示用データを記憶させておく必要がない。
【０００７】
また、請求項２に記載の発明は、請求項１に記載の画像形成装置であって、前記操作手段は、前記表示手段の表示内容をスクロール表示させるスクロール指示の入力を受け付け、
前記制御手段は、前記操作手段によって受け付けられたスクロール指示に従って、前記画面表示用データの前記表示手段での表示内容を変更するものである。
【０００８】
この構成では、ユーザが操作手段からスクロール指示を入力すると、このスクロール指示に従って、制御手段が、画面表示用データの表示手段での表示内容を変更するようになっている。
【０００９】
また、請求項３に記載の発明は、請求項１又は請求項２に記載の画像形成装置であって、前記操作手段は、前記表示手段の表示画面を切り替える表示画面切替指示の入力を受け付け、
前記制御手段は、前記操作手段によって表示画面切替指示が受け付けられると、前記表示手段に表示させている画面表示用データとは別個の画面表示用データを前記画面表示用データ記憶手段から読み出して、前記表示手段に表示させるものである。
【００１０】
この構成では、ユーザが、操作手段から表示画面切替指示を入力すると、制御手段が、表示手段に表示させている画面表示用データとは別個の画面表示用データを前記画面表示用データ記憶手段から読み出して、前記表示手段に表示させるようになっている。
【００１１】
また、請求項４に記載の発明は、請求項１乃至請求項３のいずれかに記載の画像形成装置であって、前記画面表示用データ記憶手段に記憶されている各画面表示用データは、複数の操作キーを前記表示手段に表示するためのデータを有し、
前記表示手段には、前記操作キーに対応するタッチパネル機能が設けられており、
前記制御手段は、前記表示手段に表示された前記各操作キーから、ユーザによる任意の操作キーの選択が前記タッチパネル機能で受け付けられると、当該選択された操作キーに対応付けられた機能を実行し、前記表示手段に表示された各操作キーの使用回数に応じて、前記表示手段に表示される各操作キーの表示形態を変化させるものである。
【００１２】
この構成によれば、ユーザが、表示手段に表示された任意の操作キーを選択すると、制御手段が、この選択された任意のキーに対応する機能を実行すると共に、表示手段に表示された各操作キーの使用回数に応じて、表示手段に表示される各操作キーの表示形態を変化させるようになっている。
【発明の効果】
【００１３】
請求項１に記載の発明によれば、ユーザＩＤが操作手段に受け付けられると、当該ユーザＩＤに対応する画面表示用データが表示手段に表示されるので、装置の操作時にユーザが自分用の表示画面を指定して切り替える作業を行う必要がなく、ユーザ（ユーザＩＤ）に合わせて表示手段の表示画面を切り替える際の操作性を向上させることができる。また、各画面表示用データに対して複数のユーザＩＤが関連付けられてデータテーブルとして記憶させるので、複数のユーザに対して１つの画面表示用データを共用することができ、画面表示用データ記憶手段にユーザＩＤと同数の画面表示用データを記憶させておく必要がない。
【００１４】
請求項２に記載の発明によれば、ユーザが、操作手段からスクロール指示を行うと、このスクロール指示に従って、表示手段での表示内容が変わるので、表示手段の表示画面に一度に表示される表示項目を減らしたとしても、スクロール表示により、多くの項目を次々に表示させることができる。これにより、表示画面に多くの項目が表示されることによる操作性の低下を防止しつつ、表示画面に表示される項目が少ないことによる操作の不便性も解消することができる。
【００１５】
請求項３に記載の発明によれば、ユーザが、操作手段から表示画面切替指示を入力すると、表示手段に、表示中の画面表示用データとは別個の画面表示用データが表示されるので、ユーザは、ユーザＩＤに対応付けられた種別の表示画面に限定されることなく、これとは別の表示画面を表示手段に表示させることができる。
【００１６】
請求項４に記載の発明によれば、ユーザが、表示手段に表示された任意の操作キーを選択すると、各操作キーの使用回数に応じて、表示手段に表示される各操作キーの表示形態が変化するので、ユーザは、表示手段の表示画面において、使用頻度の高いキーを容易に判別することが可能になり、キーを使用する際の操作性を向上させることができる。
【発明を実施するための最良の形態】
【００１７】
以下、本発明に係る実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００１８】
また、複合機１のフロント部には、操作部（操作手段）４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部（表示手段）４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００１９】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２０】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２１】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２２】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２３】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２４】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２５】
図２は複合機１の概略構成を示す機能ブロック図である。複合機１には、装置全体の動作制御を司る制御部（制御手段）１００が備えられている。この制御部１００には、露光ランプ５１１及びＣＣＤ５１２等からなる原稿画像の読み取りが可能なスキャナ部５１と、用紙搬送装置１３１，画像形成部（感光体ドラム４３、光学ユニット４２、現像部４４等からなる）１３２，転写部４１及び定着部４５等からなる記録部４０とが接続されている。
【００２６】
また、制御部１００には、スキャナ部５１で読み取られた文書データ等が一時的に保存される画像メモリ１６０と、大量の文書データを保存可能な記憶容量を有する大容量のＨＤＤ（画面表示用データ記憶手段）１５０とが接続されている。このＨＤＤ１５０には、表示項目数が異なる複数の操作画面の表示をするための複数の画面表示用データが記憶されている。さらに、ＨＤＤ１５０には、上記各画面表示用データと、複数のユーザＩＤとを関連付けて記憶するデータテーブル１５０１が格納されている（詳細は後述）。
【００２７】
画像処理部１４０は、スキャナ部５１による原稿読み取り時には、スキャナ部５１から出力されるアナログ画像信号をデジタル画像に変換し、画質を向上させる画像処理を施した後、圧縮画像に変換する。この圧縮画像は画像メモリ１６０に書き込まれる。制御部１００は、画像メモリ１６０に書き込まれた圧縮画像を、文書管理の対象となるファイルを構成するデータとしてＨＤＤ１５０に格納する。プリントアウト時には、原稿読取部５によって読み取られたデータや、ＨＤＤ１５０から読み出されたデータ（圧縮画像）が画像メモリ１６０に書き出され、画像処理部１４０は、当該圧縮されたデータを伸張処理し、出力状態（レーザ露光又はＬＥＤ露光等の別など）に応じた画像処理を施し、例えばレーザ露光の場合には、レーザ信号（露光装置から発光されるレーザビーム光線を制御するための信号）にアナログ変調する。このアナログ変調された信号に基づいて記録部４０（画像形成部１３２）でプリントアウトされる。
【００２８】
操作部（操作手段）４７は、複合機１の操作に必要な各種の指示が操作者（ユーザ）から入力されるものである。表示部４７３は、ＬＣＤ（liquid crystal display）等からなり、複合機１の操作に必要な各種操作メッセージや登録文書の各種情報が表示される表示部４７３と、プリントアウト実行指示や文書のプリントアウト部数等が入力されるテンキー等からなる操作キー部４７６とを有している。表示部４７３は、タッチパネル機能を備え、操作者が、表示画面の表示項目や操作キーが表示されている部分の当該タッチパネルに接触することで必要な指示を入力できる構成を有する。用紙選択、濃度設定、原稿サイズ選択等の操作指示を入力する場合には、この操作部４７から操作者による指示が入力される。
【００２９】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００３０】
スキャナコントローラ１０１は、スキャナ部動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００３１】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１８１と、単一の信号線を用いて1ビットずつ順次データを送るシリアル伝送で外部機器と接続するシリアルＩ／Ｆ部１８２とが接続されている。
【００３２】
ネットワークコントローラ１０５は、本複合機１とネットワーク上のコンピュータ、更には、インターネット上のサイトとの間で行われるデータ送受信を制御するものである。ネットワークコントローラ１０５は、ネットワークＩ／Ｆ部２１０を介して外部とデータを送受信させる。
【００３３】
また、制御部１００には、操作部４７の表示部４７３に表示された各操作キーの使用回数（押下回数）をカウントするカウンタ２００が接続されている。制御部１００は、このカウンタ２００から得られるカウント値に基づいて、各操作キーの使用回数に応じて、表示部４７３に表示される各操作キーの表示形態を変化させる。
【００３４】
制御部１００は、図略のＲＯＭ（又はフラッシュメモリ等）に記憶されたプログラム等に基づいて、以下の処理を行う。すなわち、制御部１００は、操作部４７でユーザから入力が受け付けられたユーザＩＤに対応する画面表示用データをＨＤＤ１５０のデータテーブル１５０１を参照して判断し、この画面表示用データをＨＤＤ１５０から読み出して表示部４７３に表示させる。
【００３５】
また、制御部１００は、表示部４７３に表示されたスクロールバー（後述）によってユーザから指示されたスクロール指示に従って、上記画面表示用データの表示部４７３での表示内容を上下又は左右方向に移動させる。表示部４７３の表面には、所謂タッチパネル機能が備えられており、ユーザがスクロールバー表示部分をタッチすると、タッチパネルによりスクロール指示が受け付けられるようになっている。この場合、表示部４７３が、特許請求の範囲の操作手段として機能することになる。
【００３６】
また、制御部１００は、表示部４７３に表示された表示画面切替ボタンのユーザによる選択が上記タッチパネルで受け付けられると、その時点で表示部４７３に表示させている画面表示用データとは別個の画面表示用データをＨＤＤ１５０から読み出して、表示部４７３に表示させる。この場合も、表示部４７３が、特許請求の範囲の操作手段として機能することになる。
【００３７】
さらに、制御部１００は、表示部４７３に表示された上記の各操作キーからユーザによる任意の操作キーの選択がタッチパネルにより受け付けられると、当該ユーザにより選択された操作キーに対応する機能を実行し、各操作キーの使用回数に応じて、表示部４７３に表示される各操作キーの表示形態を変化させるようになっている。
【００３８】
次に、複合機１によるユーザＩＤと画像表示用データとの関連付けの登録処理について説明する。図３は複合機１によるユーザＩＤと画像表示用データとを関連付けて登録する処理を示すフローチャート、図４は複合機１の操作部４７を示す図、図５はデータテーブル１５０１を示す図である。
【００３９】
図４に示すように、複合機１が各ユーザＩＤについて表示画面の種別を登録可能な画面となっており、操作部４７の表示部４７３に、「ユーザＩＤを入力して下さい」の旨のメッセージが表示されている状態で、ユーザによるテンキー４７２の操作等で操作部４７にユーザＩＤの入力が受け付けられ（Ｓ１）、続いて、表示部４７３のタッチパネルの押下等で、当該ユーザＩＤに対応付けようとする画面表示用データ種別のユーザによる入力が操作部４７に受け付けられると（Ｓ２）、制御部１００は、Ｓ２で入力された画面表示用データ種別が、シンプル画面用であるか、通常画面用であるかを判断する（Ｓ３）。本実施形態では、シンプル画面用表示データと通常画面用表示データのいずれかの選択が可能とされている。ＨＤＤ１５０には、これら２種類の画面表示用データが記憶されている。
【００４０】
そして、制御部１００は、上記入力されたユーザＩＤと画面表示用データ種別とが関連付けられるようにして、これらユーザＩＤ及び画面表示用データ種別をデータテーブル１５０１に登録する（Ｓ４，Ｓ５）。すなわち、制御部１００は、選択された画面表示用データ種別がシンプル画面である場合は、入力されたユーザＩＤをシンプル画面に関連付けてデータテーブル１５０１に登録し、選択された画面表示用データ種別が通常画面である場合は、入力されたユーザＩＤを通常画面に関連付けてデータテーブル１５０１に登録する。このようにして、制御部１００は、図５に示すようなデータテーブル１５０１を作成する。このデータテーブル１５０１は、１つの画面表示用データに対して複数のユーザＩＤを関連付けて登録可能になっており、ユーザＩＤと画面表示用データとの関係は１対１ではなくてもよい。
【００４１】
次に、複合機１によるユーザＩＤに応じた画面表示制御について説明する。図６は複合機１によるユーザＩＤに応じた画面表示制御時の処理を示すフローチャート、図７は表示部４７３に初期画面が表示された状態の操作部４７を示す図、図８は通常画面を示す図、図９はシンプル画面を示す図、図１０はシンプル画面をスクロールダウン表示した状態を示す図である。
【００４２】
操作部４７の表示部４７３に、図７に示すような表示画面選択画面が、初期画面として表示されている状態で、ユーザによるテンキー４７２の操作等で操作部４７にユーザＩＤの入力が受け付けられると（Ｓ１１）、制御部１００は、ＨＤＤ１５０内のデータテーブル１５０１を参照して、入力されたユーザＩＤがどの表示画面用データに対応するものであるかを判断する（Ｓ１２）。
【００４３】
ここで、制御部１００が、入力されたユーザＩＤに対応する表示画面がシンプル画面であると判断した場合は（Ｓ１２でシンプル画面）、ＨＤＤ１５０からシンプル画面用の表示データを読み出して、図９に示すような画面を、表示部４７３に表示させる（Ｓ１３）。
【００４４】
また、制御部１００が、入力されたユーザＩＤに対応する表示画面が通常画面であると判断した場合は（Ｓ１２で通常画面）、ＨＤＤ１５０から通常画面用の表示データを読み出して、図８に示すような画面を表示部４７３に表示させる（Ｓ１７）。上述したように、データテーブル１５０１に記憶されているユーザＩＤと画面表示用データの関係は、１対１ではないので、このＳ１２では、入力されたユーザＩＤの各々に対応して別々に設けられた表示画面が選択されるのではなく、入力されたユーザＩＤが、シンプル画面又は通常画面のいずれに対応するかが判断されて選択される。これにより、ＨＤＤ１５０に、ユーザＩＤの数と同数の画面表示データを記憶させる必要をなくしている。
【００４５】
なお、図４に示した画面登録画面は、図７に示す表示画面選択画面で「画面登録」ボタン４７３１が押下されると、制御部１００が、表示画面を表示画面選択画面（初期画面）から画面登録画面に切り替えて表示するようになっている。
【００４６】
上記シンプル画面を表示部７３に表示させている状態で、表示画面上のスクロールキー４７３２又は４７３３が押下されると（Ｓ１４でＹＥＳ）、制御部１００は、表示画面をスクロール表示させる（Ｓ１５）。すなわち、上向き矢印の「▲」で示されるスクロールキー４７３２がユーザにより押下されると、制御部１００は、表示部４７３の表示内容を上に移動させて、見えなかった部分を見えるようにする。
【００４７】
また、下向き矢印の「▼」で示されるスクロールキー４７３３がユーザにより押下されると、制御部１００は、表示部４７３の表示内容を下に移動させて、見えなかった部分を見えるようにする（図１０）。これにより、表示項目数が通常画面よりも少ないシンプル画面でも全ての項目の操作を可能としつつ、一度に多くの項目が表示されることによって表示部４７３の表示内容を把握しにくいという問題を解決する。
【００４８】
さらに、シンプル画面又は通常画面が表示されている状態で、表示画面上の表示画面切替ボタン（通常画面からシンプル画面への切り替え指示を入力するための「シンプル表示」ボタン４７３４、又はシンプル画面から通常画面への切り替え指示を入力するための「通常表示」ボタン４７３５）が、ユーザにより押下されると（Ｓ１６でＹＥＳ）、制御部１００は、処理をＳ１２に戻し、指示された画面（表示すべき画面）がシンプル画面又は通常画面のいずれであるかを判断し（Ｓ１２）、その判断結果に基づいて、Ｓ１３乃至Ｓ１７の処理を繰り返す。
【００４９】
上記Ｓ１６のように、シンプル画面又は通常画面を表示部４７３に表示した後であっても、表示画面切替用の「シンプル表示」ボタン４７３４又「通常表示」ボタン４７３５の押下で入力される指示に基づいて、制御部１００が、シンプル画面と通常画面とを相互に切替表示するようにしたことによって、ユーザは、ユーザＩＤに対応付けられた種別の表示画面に関わらず、表示部４７３に表示されている表示画面とは別の表示画面を選択して表示させることができる。
【００５０】
次に、複合機１による表示項目の使用回数に応じた表示サイズの変更処理について説明する。図１１は、複合機１による表示項目の使用回数に応じた表示サイズの変更処理を示すフローチャート、図１２は各操作キーと使用回数の関係を示すデータテーブル、図１３は使用回数に応じて操作キーを拡大表示させた状態のシンプル表示画面を示す図である。
【００５１】
制御部１００は、表示部４７３に表示されるシンプル画面で、操作キーＫ１乃至Ｋ４が押下されたか否かを判断し（Ｓ２１）、ユーザによりいずれかの操作キーが押下された場合は（Ｓ２１でＹＥＳ）、カウンタ２００に、当該押下された操作キーの使用回数値をカウントアップさせる（Ｓ２２）。このカウントアップは、制御部１００により、所定期間（例えば、１日間単位で処理を行う為の２４時間など）が経過するまで繰り返される（Ｓ２３でＮＯ）。これにより、例えば、ＨＤＤ１５０に図１２に示すようなデータテーブル１５０２を作成する。
【００５２】
そして、上記所定期間が経過した時点で（Ｓ２３でＹＥＳ）、制御部１００は、上記データテーブル１５０２を参照して、各操作キーを表示する大きさを複数段階に設定する（Ｓ２４）。例えば、本実施形態では、シンプル画面で表示される操作キーの数は４つであるので、予め操作キーを表示するサイズを４つ登録しておき、上記所定時間経過時に、使用回数の多い操作キーから順に大きなサイズを割り当てる。制御部１００は、ユーザＩＤ（その時点で表示されている表示画面を表示させるために操作部４７に入力されているユーザＩＤ）に関連付けて、上記Ｋ１乃至Ｋ４の操作キーの表示サイズの情報を、ＨＤＤ１５０内のデータテーブル１５０１に記憶させる（Ｓ２５）。
【００５３】
次回、操作部４７にユーザＩＤが入力されたとき、制御部１００は、入力されたユーザＩＤに基づいて、データテーブル１５０１を参照して、関連付けられた画面表示用データの種別及びＫ１乃至Ｋ４の操作キーの表示サイズを判断し、図１３に示すように、各操作キーの大きさを使用回数に応じたサイズに変更して、表示部４７３に表示させる。この図１３では、操作キーは、「用紙選択」キーＫ１、「原稿サイズ」キーＫ４、「拡大／縮小」キーＫ２、「コピー濃度」キーＫ３の順に、使用回数が多い状態を示している。
【００５４】
なお、上記処理では、制御部１００は、各操作キーの使用回数に応じて各操作キーの表示サイズを変更して表示するようになっているが、各操作キーの使用回数に応じて各操作キーの表示色を変更したり（使用回数の多い操作キーが濃い濃度で表示され、使用回数が減るに連れて薄い濃度で表示される等）、各操作キーの使用回数に応じて各操作キーの配置を変更する（使用回数の最も多い操作キーを画面の左上に表示し、使用回数の最も少ない操作キーを画面の右下に表示する等）ようにしてもよい。
【００５５】
上記処理を行うことにより、ユーザは、表示部４７３の表示画面で、使用頻度の高い操作キーを容易に判別することができ、操作キーを使用する際の操作性を向上させることができる。
【００５６】
なお、本発明は上記実施の形態の構成に限られず種々の変形が可能である。例えば、上記実施形態では、データテーブル１５０１に登録されている表示画面用データの種類、ＨＤＤ１５０に記憶されている表示画面用データは、シンプル画面又は通常画面の２種類であるが、更に多くの表示用画面データを備えていてもよく、例えば、表示部４７３の一画面に表示される表示項目や操作キーの数を異ならせた複数種類のシンプル画面を表示するための画面表示用データを備えるようにしてもよい。この場合、操作部４７にユーザＩＤの入力が受け付けられると、制御部１００は、データテーブル１５０１を参照して、入力されたユーザＩＤに対応する表示画面が、いずれのシンプル画面であるか、通常画面であるかまで判断して、対応する画面の表示画面用データをＨＤＤ１５０から読み出して、表示部４７３に表示させるようにする。
【００５７】
また、上記実施形態では、上記実施形態では、複合機１の構成及び処理を図１乃至図１３に示しているが、これらの構成及び処理はあくまでも一例であり、本発明に係る複合機１の構成及び処理は上記に限定されるものではない。
【００５８】
また、上記実施形態では、本発明に係る画像形成装置を、プリンタ機能、コピー機能及びファクス機能等を備えた複合機１として説明しているが、本発明に係る画像形成装置は、プリンタ機能、コピー機能、ファクス機能のいずれかのみの機能を備えた画像形成装置であっても構わない。
【図面の簡単な説明】
【００５９】
【図１】本発明の一実施形態に係る画像形成装置の一例である複合機の内部構成を概略的に示す側面図である。
【図２】複合機の概略構成を示す機能ブロック図である。
【図３】複合機によるユーザＩＤと画像表示用データとを関連付けて登録する処理を示すフローチャートである。
【図４】複合機の操作部を示す図である。
【図５】ユーザＩＤと画面表示用データとの関係が記憶されるデータテーブルを示す図である。
【図６】複合機によるユーザＩＤに応じた画面表示制御時の処理を示すフローチャートである。
【図７】表示部に初期画面が表示された状態の操作部を示す図である。
【図８】通常画面を示す図である。
【図９】シンプル画面を示す図である。
【図１０】シンプル画面をスクロールダウン表示した状態を示す図である。
【図１１】複合機による表示項目の使用回数に応じた表示サイズの変更処理を示すフローチャートである。
【図１２】各操作キーと使用回数の関係を示すデータテーブルである。
【図１３】使用回数に応じて操作キーを拡大表示させた状態のシンプル表示画面を示す図である。
【符号の説明】
【００６０】
１        複合機
１００    制御部
２００    カウンタ
４７２    テンキー
４７３    表示部
１５０１  データテーブル
１５０２  データテーブル
４７３１  「画面登録」ボタンボタン
４７３２  スクロールキー
４７３３  スクロールキー
４７３４  「シンプル表示」ボタン
４７３５  「通常表示」ボタン
Ｋ１      「用紙選択」キー
Ｋ２      「拡大／縮小」キー
Ｋ３      「コピー濃度」キー
Ｋ４      「原稿サイズ」キー
【図１】
2005172948.tif 000003
【図２】
2005172948.tif 000004
【図３】
2005172948.tif 000005
【図４】
2005172948.tif 000006
【図５】
2005172948.tif 000007
【図６】
2005172948.tif 000008
【図７】
2005172948.tif 000009
【図８】
2005172948.tif 000010
【図９】
2005172948.tif 000011
【図１０】
2005172948.tif 000012
【図１１】
2005172948.tif 000013
【図１２】
2005172948.tif 000014
【図１３】
2005172948.tif 000015